(57)【要約】      （修正有）【課題】テープカッターは、接着面に指をつけるので、指紋が付きますし直接貼る訳ではないので必要な長さで切りにくかった。又、連続で貼るとき、必要数を先に切ることもありました。【解決手段】上記課題には、従来とは逆からテープカットする方法が有効なので、逆切りテープカッターを考えました。しかし、逆から切ると、テープ本体に切り口が貼り付いて、次のが取りにくくなります。そこで、テープ本体と切り口の間にテープ受けを設けました。しかし、固定的な受けの場合、刃に近過ぎる次の貼り先を出しづらく、刃から遠過ぎると貼り先の方向が良くなかったりしましたので、その解決策として、振り子金具によるテープ受けを考えました。これだとテープをカットした時点でテープを保持しますし、指でテープ接着面に触れる事無く好きな位置に貼り先を移動出来ます。【選択図】図４
2006182558.tif 000002
【特許請求の範囲】
【請求項１】
［図９］の本体の素材は、紙、プラスチック等の樹脂で出来ています。その材質を特許請求します。
【請求項２】
［図１１］の振り子部品がテープ切り口の受けになっています。振り子のように動作する振り子部品の使用を特許請求します。それは、テープカッターの中心にセットします。通常テープカッターの中心は、１６パイから７５パイまでの筒上の穴になっています。
【請求項３】
［図１１］の振り子部品がテープカット時テープに張り付いてテープを保持する事を特許請求します。
【請求項４】
［図１１］の振り子部品がテープカット時テープに張り付いてテープを保持する時、振り子部品は、カット長より短くなっているので、振り子部品を元に振り戻したとき次の貼り付けがし易いようにテープの先端が振り子部品より前に出て戻って来るようなっています。振り子部品の、テープ先端出し機能を特許請求します。
【発明の詳細な説明】
【技術分野】
【０００１】本発明は、主にセロテープに使用するカッターを逆切り用にする為の補助具です。［背景技術］新たに追加した機能については参考にした物はありませんが、従来のテープカッターに機能を追加したものです。［発明の開示］［発明が解決しようとする課題］【０００２】従来、あるいは大多数のテープカッターは接着面を下にし、接着面をカッターにあてて切るタイプです。接着面に指を直接あてるので指紋が付きますし、直接貼る場所の必要な長さを、いまひとつ掴めにくい構造でした。（例えば封筒の封をする場合等）  従来品は、重い土台にしっかりとセットされていますので、切る位置にカッター部の方をあてがって長さを出すのは難しいですし、軽く作ってあったとしても、その方式では指紋がつきます。  テープを直接貼ることが出来ないのと、指紋が付くこと、その対策方法としての逆からのカットも難しい、それが問題でした。［課題を解決するための手段］【０００３】  従来の切り方を順切りと表現した場合、その逆の切り方、逆切りが有効と考えます。即ち接着しない面から切る方法です。逆切りの場合、そのままでは切り口がテープに張り付いてしまうので切り口を受ける受けを設けます。受けは、固定的なものだと刃に近いと出しづらく、遠すぎると貼り先の方向が下を向きすぎて次が貼りづらいので、可動的なものにしました。これだと、切った時点で切り口を受けで支え、好きな位置に、次の貼りのために切り口を移動できます。これを装着すれば、市販されているハンドタイプも逆切りが出来るようになります。［発明を実施する為の最良の形態］【０００４】本体は図１０の、Ｈを中心にしてＪ１とＪ２が左右に開くようになっています。まずＪ１かＪ２どちらかを、市販のハンドタイプのテープカッター回転部真ん中を通し、次に本体Ｈをテープカッター回転部真ん中に入れ、固定します。（市販のハンドタイプのテープカッターには、いつもと逆方向にテープを入れます。（テープの非接着面がカッターの刃に当たる方向です。））Ｊ１，Ｊ２ともテープカッター回転部真ん中を通る幅になっています。本体Ｈは、Ｈ１，Ｈ２が重なっているだけで、糊づけされていないので弾力があり、それが、自身の位置固定力になっています。【０００５】更にＪ１とＪ２にはオスメスのマジックテープがついているので更にしっかりと固定ができます。【０００６】Ｃに振り子のように動作する振り子部品をセットします。［発明の効果］従来、あるいは大多数のテープカッターは接着面を下にし、接着面をカッターにあてて切るタイプです。接着面に直接指をあてるので指紋が付きますし、直接張る場所の必要な長さを、いまひとつ掴めにくい構造でした。（例えば封筒の封をする場合等）提案品を装着すると市販のテープカッターを逆切り用カッターに変更できます。逆切り用テープカッターの場合は、ある場所にテープを貼ろうと思った時、従来品の多くは、まずテープをカットして、一旦手にしてから貼り場所に張っていましたが、これを装着すれば直接貼り付け場所に貼り付けが出来ます。そして、切りたいと思った場所で切る事ができます。指紋が付かず必要な長さがきれます。連続切りが出来ます。  数箇所貼る場合、複数切っておく必要はありません。例えば目の高さの���所の物に貼ろうとした場合、カットすると、カットしたテープ（本体側）は、非接着面からのカットでも、多くの場合は刃にテープが付いていますので、次に接着したいと思った時は、非接着面に指を当てればすぐに、次の接着体制にはいれます。封筒接着が容易。  封筒等の接着の場合は、机の上に置いた封筒に上から張っていき、切ろうとする所で本体垂直にする構造になっています。切る時にテープの接着面と振り子が接着しますが、本体を平行に戻し、テープに接着した振り子をテープ毎下に戻すと、次の接着がし易い形でテープの先端が出てきます。
【図面の簡単な説明】
【図１】逆切りカッターアダプター本体
【図２】逆切りカッターアダプター組み立て図
【図３】振り子部品Ｂ
【図４】逆切りカッターアダプター組み込み図図９は逆切りカッターアダプターの展開図です。対象市販テープカッターの中心内径、１６パイと１８パイ用のサイズを記載しました。図１０図９を組み立てた図です。図１１のＣは振り子部品です。１６パイと１８パイ用のサイズを記載しました。
【図１】
2006182558.tif 000003
【図２】
2006182558.tif 000004
【図３】
2006182558.tif 000005
【図４】
2006182558.tif 000006
【手続補正書】
【提出日】平成17年2月21日(2005.2.21)
【手続補正１】
【補正対象書類名】特許請求の範囲
【補正対象項目名】全文
【補正方法】変更
【補正の内容】
【特許請求の範囲】
【請求項１】
［図１］の本体の素材は、紙、プラスチック等の樹脂で出来ています。その材質を特許請求します。
【請求項２】
［図３］の振り子部品がテープ切り口の受けになっています。振り子のように動作する振り子部品の使用を特許請求します。それは、テープカッターの中心にセットします。通常テープカッターの中心は、１６パイから７５パイまでの筒上の穴になっています。
【請求項３】
［図３］の振り子部品がテープカット時テープに張り付いてテープを保持する事を特許請求します。
【請求項４】
［図３］の振り子部品がテープカット時テープに張り付いてテープを保持する時、振り子部品は、カット長より短くなっているので、振り子部品を元に振り戻したとき次の貼り付けがし易いようにテープの先端が振り子部品より前に出て戻って来るようなっています。振り子部品の、テープ先端出し機能を特許請求します。
【手続補正２】
【補正対象書類名】明細書
【補正対象項目名】全文
【補正方法】変更
【補正の内容】
【発明の詳細な説明】
【技術分野】
【０００１】本発明は、主にセロテープに使用するカッターを逆切り用にする為の補助具です。
【背景技術】新たに追加した機能については参考にした物はありませんが、従来のテープカッターに機能を追加したものです。
【発明の開示】
【発明が解決しようとする課題】
【０００２】従来、あるいは大多数のテープカッターは接着面を下にし、接着面をカッターにあてて切るタイプです。接着面に指を直接あてるので指紋が付きますし、直接貼る場所の必要な長さを、いまひとつ掴めにくい構造でした。（例えば封筒の封をする場合等）  従来品は、重い土台にしっかりとセットされていますので、切る位置にカッター部の方をあてがって長さを出すのは難しいですし、軽く作ってあったとしても、その方式では指紋がつきます。  テープを直接貼ることが出来ないのと、指紋が付くこと、その対策方法としての逆からのカットも難しい、それが問題でした。
【課題を解決するための手段】
【０００３】  従来の切り方を順切りと表現した場合、その逆の切り方、逆切りが有効と考えます。即ち接着しない面から切る方法です。逆切りの場合、そのままでは切り口がテープに張り付いてしまうので切り口を受ける受けを設けます。受けは、固定的なものだと刃に近いと出しづらく、遠すぎると貼り先の方向が下を向きすぎて次が貼りづらいので、可動的なものにしました。これだと、切った時点で切り口を受けで支え、好きな位置に、次の貼りのために切り口を移動できます。これを装着すれば、市販されているハンドタイプも逆切りが出来るようになります。
【発明を実施する為の最良の形態】
【０００４】本体は図２の、Ｈを中心にしてＪ１とＪ２が左右に開くようになっています。まずＪ１かＪ２どちらかを、市販のハンドタイプのテープカッター回転部真ん中を通し、次に本体Ｈをテープカッター回転部真ん中に入れ、固定します。（市販のハンドタイプのテープカッターには、いつもと逆方向にテープを入れます。（テープの非接着面がカッターの刃に当たる方向です。  ））Ｊ１，Ｊ２ともテープカッター回転部真ん中を通る幅になっています。本体Ｈは、Ｈ１，Ｈ２が重なっているだけで、糊づけされていないので弾力があり、それが、自身の位置固定力になっています。
【０００５】更にＪ１とＪ２にはオスメスのマジックテープがついているので更にしっかりと固定ができます。
【０００６】Ｃに振り子のように動作する振り子部品をセットします。
【発明の効果】
従来、あるいは大多数のテープカッターは接着面を下にし、接着面をカッターにあてて切るタイプです。接着面に直接指をあてるので指紋が付きますし、直接張る場所の必要な長さを、いまひとつ掴めにくい構造でした。（例えば封筒の封をする場合等）提案品を装着すると市販のテープカッターを逆切り用カッターに変更できます。逆切り用テープカッターの場合は、ある場所にテープを貼ろうと思った時、従来品の多くは、まずテープをカットして、一旦手にしてから貼り場所に張っていましたが、これを装着すれば直接貼り付け場所に貼り付けが出来ます。そして、切りたいと思った場所で切る事ができます。指紋が付かず必要な長さがきれます。連続切りが出来ます。  数箇所貼る場合、複数切っておく必要はありません。例えば目の高さの場所の物に貼ろうとした場合、カットすると、カットしたテープ（本体側）は、非接着面からのカットでも、多くの場合は刃にテープが付いていますので、次に接着したいと思った時は、非接着面に指を当てればすぐに、次の接着体制にはいれます。封筒接着が容易。  封筒等の接着の場合は、机の上に置いた封筒に上から張っていき、切ろうとする所で本体垂直にする構造になっています。切る時にテープの接着面と振り子が接着しますが、本体を平行に戻し、テープに接着した振り子をテープ毎下に戻すと、次の接着がし易い形でテープの先端が出てきます。
【図面の簡単な説明】
【０００７】
【図１】逆切りカッターアダプター本体  図１は逆切りカッターアダプターの展開図です。対象市販テープカッターの中心内径、１６パイと１８パイ用のサイズを記載しました。
【図２】逆切りカッターアダプター組み立て図  図２は図１を組み立てた図です。
【図３】振り子部品Ｂ  図３のＣは振り子部品です。１６パイと１８パイ用のサイズを記載しました。
【図４】逆切りカッターアダプター組み込み図  カッターアダプターを市販品に組み込んだ図です。